(57)【要約】  絶縁本体（１０）、ボタン（２０）及び接続端子（３０）を含む接続器（１００ａ）と、第１電力線（５０ａ）と、第２電力線（５０ｂ）とを含む商用電力線接続モジュール（１００）である。絶縁本体には連通した、二つのケーブル通路（１１ａ、１１ｂ）と二つのケーブル通路の間に位置する収容室（１５）とが開設される。接続端子のベース部（３０ａ）は絶縁本体の底端に取り付けられ、両端がそれぞれケーブル通路に対応して折り曲がり延伸して突き破り・締付端（３１ａ、３１ｂ）を形成し、突き破り・締付端はケーブル通路に対応し且つベース部へ延伸する締付溝（３２ａ、３２ｂ）が開設され、ボタンは摺動可能となるように絶縁本体の頂端に取り付けられ、収容室の内部に伸びる押付部（２０ａ）を有し、第１と第２電力線はボタンの押付部に押し付けられて締付溝の方向へ移動し、締付溝の内壁が第１と第２電力線を突き破り締め付け、ボタンと絶縁本体とが係合されて固定される。この商用電力線接続モジュールは簡便且つ確実に商用電力線を電気的及び機械的に接続することができる。【選択図】図２
2015521350.tif 000002
【特許請求の範囲】
【請求項１】
商用電力を伝送するための第１電力線と、
商用電力を伝送するための第２電力線と、
前記第１電力線と前記第２電力線を接続する接続器とを含む商用電力線接続モジュールであって、
前記接続器は、両端にそれぞれケーブル通路が開設され、更に、二つ前記ケーブル通路の間に位置して二つの前記ケーブル通路と連通する収容室が開設される絶縁本体と、前記収容室に配置され、前記絶縁本体の底端に取り付けられるベース部を有し、前記ベース部の両端がそれぞれ前記ケーブル通路に対応して折り曲がり延伸して突き破り・締付端を形成し、前記突き破り・締付端に前記ケーブル通路に対応し且つ前記ベース部へ延伸する締付溝が開設される導電性の接続端子と、摺動可能に前記絶縁本体の頂端に取り付けられ、前記収容室の内に伸びる押付部を有するボタンとを含み、前記第１電力線は接続器の一端のケーブル通路と突き破り・締付端に入り、前記第２電力線は接続器の他端のケーブル通路と突き破り・締付端に入り、前記第１と第２電力線は前記ボタンの押付部に押し付けられて締付溝方向へ移動し、前記締付溝の内壁が前記第１と第２電力線を突き破り締め付け、前記ボタンと前記絶縁本体とが係合されて固定されることを特徴とする商用電力線接続モジュール。
【請求項２】
前記ケーブル通路に対応する前記突き破り・締付端に、前記締付溝の上方に位置して前記締付溝と連通し、前記電力線を前記突き破り・締付端に入るように案内する通孔が開設されていることを特徴とする請求項１に記載の商用電力線接続モジュール。
【請求項３】
前記締付溝の前記通孔に近い内壁に鋭利な刃口部が形成され、前記締付溝と通孔との接続箇所が弧状となることを特徴とする請求項２に記載の商用電力線接続モジュール。
【請求項４】
前記接続端子が一対になるように設けられ、一方の前記接続端子が他方の前記接続端子の内に重ねられ、二つの前記接続端子の締付溝の溝距離が等しくなく設定されることを特徴とする請求項１に記載の商用電力線接続モジュール。
【請求項５】
前記収容室の内壁に前記接続端子の突き破り・締付端を嵌挿固定するための嵌挿・位置決め溝が開設されることを特徴とする請求項１に記載の商用電力線接続モジュール。
【請求項６】
前記ボタンの両側に弾性の係合ブロックが設けられ、前記絶縁本体に前記係合ブロックと連携する係合溝が対応して開設され、前記係合ブロックが前記係合溝に係合されることを特徴とする請求項１に記載の商用電力線接続モジュール。
【請求項７】
前記係合ブロックが押付方向に沿って順に第１係合ブロック及び第２係合ブロックを含み、前記ボタンが摺動して前記絶縁本体に入っている過程中、前記係合溝が順に前記第２と第１係合ブロックに係合されることを特徴とする請求項６に記載の商用電力線接続モジュール。
【請求項８】
前記ボタンの両側に押付方向に沿って摺動溝が開設され、前記絶縁本体に前記摺動溝と連携する摺動案内レールが対応して設けられ、前記ボタンに更に前記突き破り・締付端と連携する連携溝が開設され、前記突き破り・締付端が摺動可能に前記連携溝の内に伸びることを特徴とする請求項１に記載の商用電力線接続モジュール。
【請求項９】
（１）一端に第１ケーブル通路が開設され、他端に第２ケーブル通路が開設され、更に前記第１と第２ケーブル通路の間に位置して前記第１と第２ケーブル通路と連通する収容室が開設される絶縁本体と、前記収容室に配置され、前記絶縁本体の底端に取り付けられるベース部を有し、前記ベース部の一端が前記第１ケーブル通路に対応して折り曲がり延伸して第１突き破り・締付端を形成し、前記第１突き破り・締付端に前記第１ケーブル通路に対応し且つ前記ベース部へ延伸する第１締付溝が開設され、前記ベース部の他端が前記第２ケーブル通路に対応して折り曲がり延伸して第２突き破り・締付端を形成し、前記第２突き破り・締付端に前記第２ケーブル通路に対応し且つ前記ベース部へ延伸する第２締付溝が開設される導電性の接続端子と、摺動可能に前記絶縁本体の頂端に取り付けられ、前記収容室内に伸びる押付部を有するボタンとを含む接続器を提供するステップと、
（２）商用電力を伝送するための第１電力線を提供し、第１電力線を第１ケーブル通路と第１突き破り・締付端に挿入するステップと、
（３）商用電力を伝送するための第２電力線を提供し、第２電力線を第２ケーブル通路と第２突き破り・締付端に挿入するステップと、
（４）ボタンを前記絶縁本体に係合されて固定されるまで押し、押している過程中、ボタンの押付部が第１と第２電力線を押し付けてそれぞれ第１と第２締付溝の方向へ移動させ、前記第１と第２締付溝の内壁がそれぞれ移動してきた第１と第２電力線を突き破り締め付けるステップと、を含むことを特徴とする商用電力線の接続方法。
【請求項１０】
前記第１ケーブル通路に対応する前記第１突き破り・締付端に、前記第１締付溝の上方に位置して前記第１締付溝と連通し、前記第１電力線を前記第１突き破り・締付端に入るように案内する第１通孔が開設され、前記第２ケーブル通路に対応する前記第２突き破り・締付端に、前記第２締付溝の上方に位置して前記第２締付溝と連通し、前記第２電力線を前記第２突き破り・締付端に入るように案内する第２通孔が開設されることを特徴とする請求項９に記載の商用電力線の接続方法。
【請求項１１】
商用電力を伝送するための第１電力線と、
商用電力を伝送するための第２電力線と、
前記第１電力線と前記第２電力線を接続する接続器とを含む商用電力線接続モジュールであって、
前記接続器は、第１ケーブル通路と第２ケーブル通路が開設され、更に前記第１と第２ケーブル通路と連通する収容室が開設される絶縁本体と、前記収容室に配置され、前記絶縁本体の底端に取り付けられるベース部を含み、前記第１ケーブル通路に対応し且つ前記ベース部へ延伸する第１締付溝が開設される第１突き破り・締付端、及び前記第２ケーブル通路に対応し且つ前記ベース部へ延伸する第２締付溝が開設される第２突き破り・締付端を有する導電性の接続端子と、可動となるように前記絶縁本体の頂端に取り付けられ、前記収容室の内に伸びる押付部を有するボタンとを含み、前記第１電力線は第１ケーブル通路と第１突き破り・締付端に入り、前記第２電力線は第２ケーブル通路と第２突き破り・締付端に入り、前記第１と第２電力線は前記ボタンの押付部に押し付けられて対応する第１と第２締付溝の方向へ移動し、前記第１と第２締付溝の内壁が前記第１と第２電力線を突き破り締め付け、前記ボタンと前記絶縁本体とが係合されて固定されることを特徴とする商用電力線接続モジュール。
【請求項１２】
前記第１ケーブル通路に対応する前記第１突き破り・締付端に、前記第１締付溝の上方に位置して前記第１締付溝と連通し前記第１電力線を前記第１突き破り・締付端に入るように案内する第１通孔が開設され、前記第２ケーブル通路に対応する前記第２突き破り・締付端に、前記第２締付溝の上方に位置して前記第２締付溝と連通し、前記第２電力線を前記第２突き破り・締付端に入るように案内する第２通孔が開設されることを特徴とする請求項１１に記載の商用電力線接続モジュール。
【請求項１３】
前記第１締付溝の前記第１通孔に近い内壁に鋭利な第１刃口部が形成され、前記第１締付溝と第１通孔との接続箇所が弧状となり、前記第２締付溝の前記第２通孔に近い内壁に鋭利な第２刃口部が形成され、前記第２締付溝と第２通孔との接続箇所が弧状となることを特徴とする請求項１２に記載の商用電力線接続モジュール。
【請求項１４】
前記ボタンの両側に弾性の係合ブロックが設けられ、前記絶縁本体に前記係合ブロックと連携する係合溝が対応して開設され、前記係合ブロックが前記係合溝に係合されることを特徴とする請求項１１に記載の商用電力線接続モジュール。
【請求項１５】
（１）第１ケーブル通路と第２ケーブル通路が開設され、更に前記第１と第２ケーブル通路と連通する収容室が開設される絶縁本体と、前記収容室に配置され、前記絶縁本体の底端に取り付けられるベース部を含み、前記第１ケーブル通路に対応し且つ前記ベース部へ延伸する第１締付溝が開設される第１突き破り・締付端、及び前記第２ケーブル通路に対応し且つ前記ベース部へ延伸する第２締付溝が開設される第２突き破り・締付端を有する導電性の接続端子と、可動に前記絶縁本体の頂端に取り付けら、前記収容室の内部に伸びる押付部を有するボタンとを含む接続器を提供するステップと、
（２）商用電力を伝送するための第１電力線を提供し、第１電力線を第１ケーブル通路と第１突き破り・締付端に挿入するステップと、
（３）商用電力を伝送するための第２電力線を提供し、第２電力線を第２ケーブル通路と第２突き破り・締付端に挿入するステップと、
（４）ボタンを前記絶縁本体に係合されて固定されるまで押し、押している過程中、ボタンの押付部が第１と第２電力線を押し付けて対応する第１と第２締付溝の方向へ移動させ、前記第１と第２締付溝の内壁が移動してきた第１と第２電力線を突き破り締め付けるステップと、を含むことを特徴とする商用電力線の接続方法。
【請求項１６】
商用電力を伝送するための第１電力線と第２電力線を接続することに適用される接続器において、同側に第１ケーブル通路と第２ケーブル通路が開設され、更に前記第１と第２ケーブル通路と連通する収容室が開設される絶縁本体と、前記収容室に配置され、前記絶縁本体の底端に取り付けられるベース部を含み、前記第１ケーブル通路に対応し且つ前記ベース部へ延伸する第１締付溝が開設される第１突き破り・締付端、及び前記第２ケーブル通路に対応し且つ前記ベース部へ延伸する第２締付溝が開設される第２突き破り・締付端を有する導電性の接続端子と、可動となるように前記絶縁本体の頂端に取り付けられ、前記収容室の内部に伸びる押付部を有するボタンとを含み、前記第１電力線が第１ケーブル通路と第１突き破り・締付端に入り、前記第２電力線が第２ケーブル通路と第２突き破り・締付端に入り、前記第１と第２電力線が前記ボタンの押付部に押し付けられて対応する第１と第２締付溝の方向へ移動し、前記第１と第２締付溝の内壁が前記第１と第２電力線を突き破り締め付け、前記ボタンと前記絶縁本体とが係合されて固定されることを特徴とする接続器。
【請求項１７】
前記第１ケーブル通路に対応する前記第１突き破り・締付端に、前記第１締付溝の上方に位置して前記第１締付溝と連通し、前記第１電力線を前記第１突き破り・締付端に入るように案内する第１通孔が開設され、前記第２ケーブル通路に対応する前記第２突き破り・締付端に、前記第２締付溝の上方に位置して前記第２締付溝と連通し、前記第２電力線を前記第２突き破り・締付端に入るように案内する第２通孔が開設されることを特徴とする請求項１６に記載の接続器。
【請求項１８】
前記第１締付溝の前記第１通孔に近い内壁に鋭利な第１刃口部が形成され、前記第１締付溝と第１通孔との接続箇所が弧状となり、前記第２締付溝の前記第２通孔に近い内壁に鋭利な第２刃口部が形成され、前記第２締付溝と第２通孔との接続箇所が弧状となることを特徴とする請求項１７に記載の接続器。
【請求項１９】
前記ボタンの両側に弾性の係合ブロックが設けられ、前記絶縁本体に前記係合ブロックと連携する係合溝が対応して開設され、前記係合ブロックが前記係合溝に係合されることを特徴とする請求項１６に記載の接続器。
【発明の詳細な説明】
【技術分野】
【０００１】
本発明は、接続モジュール及び接続方法に関し、特に簡便且つ確実に商用電力線を電気的に接続したり機械的に接続したりすることが可能である商用電力線接続モジュール及び接続方法に関する。
【背景技術】
【０００２】
経済が成長を続け科学技術が絶え間なく進歩するに伴って、人間の生活に豊富な電気製品が提供されるようになっているが、電気製品が幅広く使用されることで電力資源に対する需要量が増加して商用電力線産業の発展に対して良好な条件が作り出され、更に商用電力線の普及率が増加している。
【０００３】
商用電力線は電圧範囲が１１０〜３８０ボルトの電力を伝送するためのケーブルとなることが周知されている。前述のケーブルを室外で取り付ける際は、市販の商用電力線は一般にひと巻きに製作されそれぞれの長さが相対的に一定になっているため、遠距離の電力を伝送する場合には室外の商用電力線同士を突き合わせ接続して固定することが必要とされる。同様に、室外給電の商用電力線の電力を室内に導入して各種の電気製品に使用する場合にも、室外の商用電力線と室内の商用電力線を突き合わせ接続して固定することが必要とされ、なお、室内で各種の電気製品を取り付ける場合にも、商用電力線同士を突き合わせ接続して固定することが一般である。現在、商用電力線同士を突き合わせ接続して固定するための通常の方法として、作業者は、まず、切断工具によって突き合わせ接続しようとする商用電力線における絶縁層を除去して導電体を露出させてから、次に、突き合わせ接続しようとする導電体同士を捻じり接続し商用電力線同士の電気的接続を図り、最後に、不慮の感電を防止し一定の固定作用を果たすために導体の捻じり接続箇所に密封用の絶縁テープを巻き付ける。
【０００４】
しかしながら、上記商用電力線同士の突き合わせ接続過程では、商用電力線の絶縁層の除去、商用電力線の導電体の捻じり接続、導体の捻じり接続箇所への絶縁テープの巻き付け等の作業が必要とされる。前述の作業は非常に複雑で作業者の負担が大きく操作効率が悪い。このため、作業者による絶縁層除去時の導体損壊が多発し、商用電力線が浪費されてしまう。また、商用電力線同士の導電体の捻じり接続時に、導体同士の捻じれや変形によって導電体の捻じり接続箇所の耐引張性が低下して商用電力線同士の電気的接続が不確実になることや、商用電力線同士の捻じり接続箇所の絶縁テープ巻き付けによる機械的な固定が不確実になることにより、電気的接続及び機械的接続の不慮の切断が発生しやすい。
【０００５】
そのため、上記の欠点を克服するための商用電力線接続モジュール、接続方法及び接続器が強く要望されている。
【発明の概要】
【発明が解決しようとする課題】
【０００６】
本発明は、事前に商用電力線の絶縁層を除去せずに商用電力線同士を電気的に接続することができ、作業者の負担を軽減させて商用電力線同士の電気的接続及び機械的接続を簡便且つ確実にすると共に、エネルギーの浪費を防止できる商用電力線接続モジュールを提供することを目的とする。
【０００７】
本発明は、事前に商用電力線の絶縁層を除去せずに商用電力線同士を電気的に接続することができ、作業者の負担を軽減させて商用電力線同士の電気的接続及び機械的接続を簡便且つ確実にすると共に、エネルギーの浪費を防止できる商用電力線の接続方法を提供することを別の目的とする。
【０００８】
本発明は、事前に商用電力線の絶縁層を除去せずに商用電力線同士を電気的に接続することができ、作業者の負担を軽減させて商用電力線同士の電気的接続及び機械的接続を簡便且つ確実にすると共に、エネルギーの浪費を防止できる接続器を提供することを更に別の目的とする。
【課題を解決するための手段】
【０００９】
上記の目的を実現するために、本発明は、商用電力を伝送するための第１電力線と、商用電力を伝送するための第２電力線と、前記第１電力線と前記第２電力線を接続する接続器を含む商用電力接続モジュールを提供する。前記接続器は、両端にそれぞれケーブル通路が開設されている。前記接続器は、前記ケーブル通路二つの間に位置する前記ケーブル通路二つと連通する収容室が開設される絶縁本体と、前記収容室に配置され前記絶縁本体の底端に取り付けられるベース部を有する接続端子、摺動可能となるように前記絶縁本体の頂端に取り付けられた前記収容室の内部に伸びる押付部を有するボタンで構成される。前記ベース部の両端はそれぞれ前記ケーブル通路に対応して折り曲がり延伸して突き破り・締付端を形成する。前記突き破り・締付端は、前記ケーブル通路に対応し且つ前記ベース部へ延伸する締付溝が開設される。前記第１電力線は接続器一端のケーブル通路と突き破り・締付端に入り、前記第２電力線は接続器の他端のケーブル通路と突き破り・締付端に入る。前記第１と第２電力線はボタンの押付部に押し付けられて締付溝方向へ移動し、前記締付溝の内壁が前記第１と第２電力線を突き破り締め付け、前記ボタンと絶縁本体とが係合されて固定される。
【００１０】
前記突き破り・締付端は、更に、前記ケーブル通路に対応して前記締付溝の上方に位置して前記締付溝と連通し、前記電力線を前記突き破り・締付端に入るように案内する通孔が開設されることが好ましく、それによって第１と第２電力線が非常に便利に接続器に挿入されると共に、締付溝の内壁が第１と第２電力線を突き破っている時に第１と第２電力線が固定されずに動いてしまい、このことで突き破る効果が極めて低くなるという問題を克服でき、更に本発明に係る商用電力線接続モジュールによる突き破り及び締め付けの効果を向上させ、更に第１と第２電力線の電気的接続及び機械的接続の信頼性を確保する。
【００１１】
前記締付溝の前記通孔に近い内壁に鋭利な刃口部が形成され、前記締付溝と通孔との接続箇所が弧状となることが好ましく、それによって刃口部が第１と第２電力線の絶縁層を突き破ることがより容易になり、突き破った後の第１と第２電力線の導電体がより確実に突き破り・締付端の締付溝に締め付けられることが可能になって、本発明に係る商用電力線接続モジュールによる第１と第２電力線の電気的接続がより確実となる。
【００１２】
前記接続端子が一対になるように設けられ、一方の前記接続端子が他方の前記接続端子の内に重ねられ、二つの前記接続端子の締付溝の溝距離が等しくなく設定されることが好ましく、それによって本発明の商用電力線接続モジュールが異なる線径の第１と第２電力線を電気的に接続することができ、本発明の商用電力線接続モジュールの使用範囲を拡大する。
【００１３】
前記収容室の内壁に前記接続端子の突き破り・締付端を嵌挿固定するための嵌挿・位置決め溝が開設されることが好ましく、それによって接続端子を簡便且つ確実に絶縁本体に固定できる。
【００１４】
前記ボタンの両側に弾性の係合ブロックが設けられ、前記絶縁本体に前記係合ブロックと連携する係合溝が対応して開設され、前記係合ブロックが前記係合溝に係合されることが好ましい。係合ブロックと係合溝の連携によって、ボタンと絶縁本体の係合が簡単且つ確実になって、締め付けた後の第１と第２電力線の弛みを最大限に防止でき、本発明に係る商用電力線接続モジュールによる第１と第２電力線の電気的接続及び機械的接続がより確実になった。具体的には、前記係合ブロックが押付方向に沿って順に第１係合ブロック及び第２係合ブロックを含み、前記ボタンが摺動して前記絶縁本体に入っている過程中、前記係合溝が順に前記第２と第１係合ブロックに係合され、それによってボタンが第１と第２電力線を押し付けて突き破っていない時に第２係合ブロックによってボタンの絶縁本体からの脱落が効果的に防止されて、作業者の作業がより確実となる。
【００１５】
前記ボタンの両側に押付方向に沿って摺動溝が開設され、前記絶縁本体に前記摺動溝と連携する摺動案内レールが対応して設けられ、前記ボタンに更に前記突き破り・締付端と連携する連携溝が開設され、前記突き破り・締付端が摺動可能となるよう前記連携溝の内部に伸びることが好ましい。摺動溝と摺動案内レールとの連携によって、ボタンが移動するのを精度よく案内して、ボタンがより確実に第１と第２電力線を駆り立てて突き破り・締付端において突き破り締め付けができるようになり、上記の連携溝によって、突き破り・締付端がボタン内を伸縮できると共に、ボタンを案内できるので、ボタンがより確実に第１と第２電力線を駆り立てて突き破り・締付端において突き破り締め付けが可能となる。
【００１６】
上記の目的を実現するために、本発明は、商用電力を伝送するための第１電力線と、商用電力を伝送するための第２電力線と、前記第１電力線と前記第２電力線を接続する接続器とを含むものであって、前記接続器は、第１ケーブル通路と第２ケーブル通路が開設され、更に前記第１と第２ケーブル通路と連通する収容室が開設される絶縁本体と、前記収容室に配置され、前記絶縁本体の底端に取り付けられるベース部、前記第１ケーブル通路に対応し且つ前記ベース部へ延伸する第１締付溝が開設される第１突き破り・締付端及び前記第２ケーブル通路に対応し且つ前記ベース部へ延伸する第２締付溝が開設される第２突き破り・締付端を有する導電性の接続端子と、前記絶縁本体の頂端に取り付けられ前記収容室の内に伸びる押付部を有する可動なボタンとを含み、前記第１電力線は第１ケーブル通路と第１突き破り・締付端に入り、前記第２電力線は第２ケーブル通路と第２突き破り・締付端に入り、前記第１と第２電力線は前記ボタンの押付部に押し付けられて対応する第１と第２締付溝の方向へ移動し、前記第１と第２締付溝の内壁が前記第１と第２電力線を突き破り締め付け、前記ボタンと前記絶縁本体とが係合されて固定される別の商用電力線接続モジュールを提供する。
【００１７】
前記第１突き破り・締付端は前記第１ケーブル通路に対応するものであって、前記第１締付溝の上方に位置して前記第１締付溝と連通し、前記第１電力線を前記第１突き破り・締付端に入るように案内する第１通孔が開設されることが好ましい。また、前記第２突き破り・締付端は前記第２ケーブル通路に対応するものであって、前記第２締付溝の上方に位置して前記第２締付溝と連通し、前記第２電力線を前記第２突き破り・締付端に入るように案内する第２通孔が開設されることが好ましい。このことにより第１と第２電力線が非常に便利に接続器に挿入されると共に、更に第１締付溝と第２締付溝の内壁が第１と第２電力線を突き破っている時に第１と第２電力線が固定されずに動いてしまい、このことで突き破る効果が極めて悪くなるという問題を克服でき、更に本発明に係る商用電力線接続モジュールによる突き破り及び締め付けの効果を向上させて、更に第１と第２電力線の電気的接続及び機械的接続の信頼性を確保する。
【００１８】
前記第１締付溝の前記第１通孔に近い内壁に鋭利な第１刃口部が形成され、前記第１締付溝と第１通孔との接続箇所が弧状となることが好ましい。また、前記第２締付溝の前記第２通孔に近い内壁に鋭利な第２刃口部が形成され、前記第２締付溝と第２通孔との接続箇所が弧状となることが好ましい。このことにより第１刃口部が第１電力線の絶縁層を突き破ることがより容易になり、突き破った後の第１電力線の導電体がより確実に第１突き破り・締付端の第１締付溝に締め付けられることが可能になり、同様に、第２刃口部が第２電力線の絶縁層を突き破ることがより容易になり、突き破った後の第２電力線の導電体がより確実に第２突き破り・締付端の第２締付溝に締め付けられることが可能となり、本発明に係る商用電力線接続モジュールによる第１と第２電力線の電気的接続がより確実となる。
【００１９】
前記ボタンの両側に弾性の係合ブロックが設けられ、前記絶縁本体に前記係合ブロックと連携する係合溝が対応して開設され、前記係合ブロックが前記係合溝に係合されることが好ましい。係合ブロックと係合溝との連携によって、ボタンと絶縁本体の係合が簡単且つ確実になり、締め付けた後の第１と第２電力線の弛みを最大限に防止でき、本発明に係る商用電力線接続モジュールによる第１と第２電力線の電気的接続及び機械的接続がより確実となる。
【００２０】
本発明に係る商用電力線の接続方法は、
（１）一端に第１ケーブル通路が開設されて他端に第２ケーブル通路が開設されて更に前記第１と第２ケーブル通路の間に位置して前記第１と第２ケーブル通路と連通する収容室が開設される絶縁本体と、前記収容室に配置され前記絶縁本体の底端に取り付けられるベース部を有し前記ベース部の一端が前記第１ケーブル通路に対応して折り曲がり延伸して第１突き破り・締付端を形成し前記第１突き破り・締付端に前記第１ケーブル通路に対応し且つ前記ベース部へ延伸する第１締付溝が開設されかつ前記ベース部の他端が前記第２ケーブル通路に対応して折り曲げて延伸して第２突き破り・締付端を形成し前記第２突き破り・締付端に前記第２ケーブル通路に対応し且つ前記ベース部へ延伸する第２締付溝が開設される導電性の接続端子と、摺動可能となるように前記絶縁本体の頂端に取り付けられた前記収容室の内に伸びる押付部を有するボタンとを含む接続器を提供するステップと、
（２）商用電力を伝送するための第１電力線を提供し、第１電力線を第１ケーブル通路と第１突き破り・締付端に挿入するステップと、
（３）商用電力を伝送するための第２電力線を提供し、第２電力線を第２ケーブル通路と第２突き破り・締付端に挿入するステップと、
（４）ボタンを前記絶縁本体に係合させ固定されるまで押し、押している過程中、ボタンの押付部が第１と第２電力線を押し付けてそれぞれ第１と第２締付溝の方向へ移動させ、前記第１と第２締付溝の内壁がそれぞれ移動してきた第１と第２電力線を突き破り締め付けるステップと、を含む。
【００２１】
前記第１突き破り・締付端は前記第１ケーブル通路に対応するものであって、前記第１締付溝の上方に位置して前記第１締付溝と連通し、前記第１電力線を前記第１突き破り・締付端に入るように案内する第１通孔が開設されることが好ましい。また、前記第２突き破り・締付端は前記第２ケーブル通路に対応するものであって、前記第２締付溝の上方に位置して前記第２締付溝と連通し、前記第２電力線を前記第２突き破り・締付端に入るように案内する第２通孔が開設されることが好ましい。上記によって第１と第２電力線が非常に便利に接続器に挿入されると共に、第１と第２締付溝の内壁がそれぞれ第１と第２電力線を突き破っている時に第１と第２電力線が固定されずに動いてしまい、このことで突き破る効果が極めて悪くなるという問題を克服でき、更に本発明に係る商用電力線接続モジュールによる突き破り及び締め付けの効果を向上させて、更に第１と第２電力線の電気的接続及び機械的接続の信頼性を確保する。
【００２２】
本発明の別の商用電力線の接続方法は、
（１）第１ケーブル通路と第２ケーブル通路が開設され、更に前記第１と第２ケーブル通路と連通する収容室が開設される絶縁本体と、前記収容室に配置され前記絶縁本体の底端に取り付けられるベース部と前記第１ケーブル通路に対応し且つ前記ベース部へ延伸する第１締付溝が開設される第１突き破り・締付端及び前記第２ケーブル通路に対応し且つ前記ベース部へ延伸する第２締付溝が開設される第２突き破り・締付端を有する導電性の接続端子と、前記絶縁本体の頂端に取り付けられ前記収容室の内に伸びる押付部を有する可動なボタンを含む接続器を提供するステップと、
（２）商用電力を伝送するための第１電力線を提供し、第１電力線を第１ケーブル通路と第１突き破り・締付端に挿入するステップと、
（３）商用電力を伝送するための第２電力線を提供し、第２電力線を第２ケーブル通路と第２突き破り・締付端に挿入するステップと、
（４）ボタンを前記絶縁本体に係合されて固定されるまで押し、押している過程中、ボタンの押付部が第１と第２電力線を押し付けて対応する第１と第２締付溝の方向へ移動させ、前記第１と第２締付溝の内壁が移動してきた第１と第２電力線を突き破り締め付けるステップと、を含む。
【００２３】
本発明の接続器は、商用電力を伝送するための第１電力線と第２電力線を接続することに適用され、同側に第１ケーブル通路と第２ケーブル通路が開設され、更に前記第１と第２ケーブル通路と連通する収容室が開設される絶縁本体と、前記収容室に配置され前記絶縁本体の底端に取り付けられるベース部と前記第１ケーブル通路に対応し且つ前記ベース部へ延伸する第１締付溝が開設される第１突き破り・締付端及び前記第２ケーブル通路に対応し且つ前記ベース部へ延伸する第２締付溝が開設される第２突き破り・締付端を有する導電性の接続端子と、前記絶縁本体の頂端に取り付けられ前記収容室の内部に伸びる押付部を有する可動なボタンとを含み、前記第１電力線が第１ケーブル通路と第１突き破り・締付端に入り、前記第２電力線が第２ケーブル通路と第２突き破り・締付端に入り、前記第１と第２電力線が前記ボタンの押付部に押し付けられて対応する第１と第２締付溝の方向へ移動し、前記第１と第２締付溝の内壁が前記第１と第２電力線を突き破り締め付け、前記ボタンと前記絶縁本体とが係合されて固定される。
【００２４】
前記第１突き破り・締付端は前記第１ケーブル通路に対応するものであって、前記第１締付溝の上方に位置して前記第１締付溝と連通し、前記第１電力線を前記第１突き破り・締付端に入るように案内する第１通孔が開設されることが好ましい。また、前記第２突き破り・締付端は前記第２ケーブル通路に対応するものであって、前記第２締付溝の上方に位置して前記第２締付溝と連通し、前記第２電力線を前記第２突き破り・締付端に入るように案内する第２通孔が開設されることが好ましい。このことにより第１と第２電力線が非常に便利に接続器に挿入されると共に、第１締付溝と第２締付溝の内壁が第１と第２電力線を突き破っている時に第１と第２電力線が固定されず動いてしまい、このことで突き破る効果が極めて悪くなるという問題を克服でき、更に本発明の接続器による突き破り及び締め付けの効果を向上させて、更に第１と第２電力線の電気的接続及び機械的接続の信頼性を確保する。
【００２５】
前記第１締付溝の前記第１通孔に近い内壁に鋭利な第１刃口部が形成され、前記第１締付溝と第１通孔との接続箇所が弧状となることが好ましい。また、前記第２締付溝の前記第２通孔に近い内壁に鋭利な第２刃口部が形成され、前記第２締付溝と第２通孔との接続箇所が弧状となることが好ましい。このことにより第１刃口部が第１電力線の絶縁層を突き破ることがより容易になり、突き破った後の第１電力線の導体がより確実に第１突き破り・締付端の第１締付溝に締め付けられることが可能になり、同様に、第２刃口部が第２電力線の絶縁層を突き破ることがより容易になり、突き破った後の第２電力線の導体がより確実に第２突き破り・締付端の第２締付溝に締め付けられることが可能になったので、本発明の接続器による第１と第２電力線の電気的接続がより確実となる。
【００２６】
前記ボタンの両側に弾性の係合ブロックが設けられ、前記絶縁本体に前記係合ブロックと連携する係合溝が対応して開設され、前記係合ブロックが前記係合溝に係合されることが好ましい。係合ブロックと係合溝との連携によって、ボタンと絶縁本体の係合が簡単且つ確実になって、締め付けた後の第１と第２電力線の弛みを最大限に防止でき、本発明の接続器による第１と第２電力線の電気的接続及び機械的接続がより確実となる。
【発明の効果】
【００２７】
従来の技術と比較すると、上記の機器の構造により、商用電力線を事前に絶縁層を除去せずに電気的に接続器に締め付けることができ、本発明に係る商用電力線接続モジュールによる商用電力線の電気的接続及び機械的接続が簡便になり、作業者の負担が軽減され資源の浪費が防止される。また、商用電力線の弛みを効果的に防止し、従来の商用電力線同士の導体の電気的接続及び機械的接続時の捻じり接続による耐引張性の低下という問題を回避することができ、本発明に係る商用電力線接続モジュールによる商用電力線の電気的接続及び機械的接続がより確実となる。
【図面の簡単な説明】
【００２８】
【図１】本発明に係る商用電力線接続モジュールの第１実施例の構造模式図である。
【図２】図１の分解図である。
【図３】図２におけるＡ部分から第１と第２電力線を取り外した分解図である。
【図４】図１に示す商用電力線接続モジュールのボタンの構造模式図である。
【図５】本発明に係る商用電力線接続モジュールの第１実施例の接続器における接続端子の別の実施例の構造模式図である。
【図６ａ】本発明に係る商用電力線の接続方法の操作プロセスの図である。
【図６ｂ】本発明に係る商用電力線の接続方法の操作プロセスの図である。
【図６ｃ】本発明に係る商用電力線の接続方法の操作プロセスの図である。
【図６ｄ】本発明に係る商用電力線の接続方法の操作プロセスの図である。
【図７ａ】図６ｃにおける第１電力線の挿入方向に垂直な方向に沿って係合ブロックと係合溝の連携位置を通り過ぎた箇所及び第１電力線の断面図である。
【図７ｂ】図６ｃにおける第２電力線の挿入方向に垂直な方向に沿って係合ブロックと係合溝の連携位置を通り過ぎた箇所及び第２電力線の断面図である。
【図８ａ】図６ｄにおける第１電力線の挿入方向に垂直な方向に沿って係合ブロックと係合溝の連携位置を通り過ぎた箇所及び第１電力線の断面図である。
【図８ｂ】図６ｄにおける第２電力線の挿入方向に垂直な方向に沿って係合ブロックと係合溝の連携位置を通り過ぎた箇所及び第２電力線の断面図である。
【図９】本発明に係る商用電力線接続モジュールの第２実施例の構造模式図である。
【図１０】本発明に係る商用電力線接続モジュールの第２実施例における接続器の構造模式図である。
【図１１】図１０に示す接続器の分解図である。
【図１２】本発明に係る商用電力線接続モジュールの第２実施例における接続器の接続端子の構造模式図である。
【図１３】本発明に係る商用電力線接続モジュールの第３実施例の構造模式図である。
【発明を実施するための形態】
【００２９】
本発明の技術的内容、構造上の特徴を詳しく説明するために、以下に実施形態及び添付図を共に参照しながら更に説明する。
【００３０】
本発明に係る第１実施例として商用電力線接続モジュール１００を図１、及び図２〜図４に示す。本発明に係る商用電力線接続モジュール１００は商用電力の伝送に用いるものであって、商用電力を伝送するための第１電力線５０ａと、商用電力を伝送するための第２電力線５０ｂと、前記第１電力線５０ａと第２電力線５０ｂを接続する接続器１００ａとを含む。前記第１電力線５０ａと第２電力線５０ｂは商用電力線と総称し、前記接続器１００ａは絶縁本体１０、ボタン２０及び導電性の接続端子３０を含む。この絶縁本体１０の両端にそれぞれケーブル通路が開設されており、説明の便宜上、絶縁本体１０の両端にそれぞれ開設されたケーブル通路をそれぞれ第１ケーブル通路１１ａと第２ケーブル通路１１ｂと称し、絶縁本体１０に更に第１と第２ケーブル通路１１ａ、１１ｂの間に位置して第１と第２ケーブル通路１１ａ、１１ｂと連通する収容室１５が開設されている。
【００３１】
接続端子３０は、収容室１５に配置され、絶縁本体１０の底端に取り付けられるベース部３０ａを有するものであって、ベース部３０ａの両端がそれぞれケーブル通路に対応して折り曲がり延伸して突き破り・締付端を形成し、具体的には、ベース部３０ａの右端が折り曲がり延伸して第１ケーブル通路１１ａに対する第１突き破り・締付端３１ａを形成し、ベース部３０ａの左端が折り曲がり延伸して第２ケーブル通路１１ｂに対する第２突き破り・締付端３１ｂを形成し、第１突き破り・締付端３１ａが第１ケーブル通路１１ａに対応し且つベース部３０ａへ延伸する第１締付溝３２ａが開設され、第２突き破り・締付端３１ｂが第２ケーブル通路１１ｂに対応し且つベース部３０ａへ延伸する第２締付溝３２ｂが開設されている。また、接続端子３０をより簡便且つ確実に絶縁本体１０に固定するために、収容室１５の内壁に接続端子３０の第１突き破り・締付端３１ａと第２突き破り・締付端３１ｂを嵌挿固定するための嵌挿・位置決め溝１２が開設されている。
【００３２】
また、ボタン２０は可動となるように絶縁本体１０の頂端に取り付けられており、具体的には、このボタン２０は摺動可能に絶縁本体１０の頂端に取り付けられており、ボタン２０を摺動可能に絶縁本体１０の頂端に取り付けることを実現する方式として、ボタン２０の両側に押付方向（即ち、図６ｃで矢印Ｂで示す方向）に沿って摺動溝２２が開設され、絶縁本体１０に摺動溝２２と連携する摺動案内レール１４が対応して設けられることであり、この摺動案内レール１４が収容室１５の内壁から収容室１５へ突き出ているものであって、摺動案内レール１４と摺動溝２２との連携によって、ボタン２０と絶縁本体１０の摺動接続を実現すると共に、更にボタン２０が移動するのを精度高く案内して、ボタン２０がより確実に第１と第２電力線５０ａ、５０ｂを駆り立てて対応する第１と第２突き破り・締付端３１ａ、３１ｂにおいて突き破り締め付けることを可能にする。また、ボタン２０は収容室１５の内に伸びる押付部２０ａを有する。図１、図６ｄ又は図８ｂに示すように、第１電力線５０ａが接続器１００ａの右端の第１ケーブル通路１１ａと第１突き破り・締付端３１ａに入り、第２電力線５０ｂが接続器１００ａの左端の第２ケーブル通路１１ｂと第２突き破り・締付端３１ｂに入ると、第１と第２電力線５０ａ、５０ｂはボタン２０の押付部２０ａに押し付けられてそれぞれ第１と第２締付溝３２ａ、３２ｂの方向へ移動し（即ち、第１電力線５０ａはボタン２０の押付部２０ａに押し付けられて第１締付溝３２ａの方向へ移動するが、第２電力線５０ｂはボタン２０の押付部２０ａに押し付けられて第２締付溝３２ｂの方向へ移動する）、前記第１と第２締付溝３２ａ、３２ｂの内壁がそれぞれ前記第１と第２電力線５０ａ、５０ｂを突き破り締め付け（即ち、第１締付溝３２ａの内壁が前記第１電力線５０ａを突き破り締め付けるが、第２締付溝３２ｂの内壁が前記第２電力線５０ｂを突き破り締め付ける）、前記ボタン２０と絶縁本体１０が係合されて固定される。以下により具体的に説明する。
【００３３】
図３に示す通り、上記した突き破り・締付端は上記したケーブル通路に対応するものであって、前記締付溝の上方に位置して前記締付溝と連通し、前記電力線を前記突き破り・締付端に入るように案内する通孔が開設されている。具体的には、第１突き破り・締付端３１ａは第１ケーブル通路１１ａに対応するものであって、第１締付溝３２ａの上方に位置して、第１締付溝３２ａと連通し、第１電力線５０ａを第１突き破り・締付端３１ａに入るように案内する第１通孔３３ａが開設されている。また、第２突き破り・締付端３１ｂは第２ケーブル通路１１ｂに対応するものであって、第２締付溝３２ｂの上方に位置して、第２締付溝３２ｂと連通し、第２電力線５０ｂを第２突き破り・締付端３１ｂに入るように案内する第２通孔３３ｂが開設されている。これらによって第１と第２電力線５０ａ、５０ｂが非常に便利に接続器１００ａに挿入されると共に、第１と第２締付溝３２ａ、３２ｂの内壁が第１と第２電力線５０ａ、５０ｂを突き破っている時に第１と第２電力線５０ａ、５０ｂが固定されずに動いてしまい、このことで突き破る効果が極めて低くなるという問題を克服でき、更に本発明に係る商用電力線接続モジュール１００による突き破り及び締め付けの効果を向上させ、更に第１と第２電力線５０ａ、５０ｂの電気的接続及び機械的接続の信頼性を確保する。
【００３４】
更に図４に示す通り、ボタン２０に第１と第２突き破り・締付端３１ａ、３１ｂと連携する連携溝２３が開設されており、第１と第２突き破り・締付端３１ａ、３１ｂが摺動可能に連携溝２３に伸び、それによって第１と第２突き破り・締付端３１ａ、３１ｂをボタン２０において伸縮可能にすると共に、更にボタン２０を案内することができるので、ボタン２０は確実に第１と第２電力線５０ａ、５０ｂを駆り立てて対応する第１と第２突き破り・締付端３１ａ、３１ｂにおいて突き破り締め付けることを可能とする。また、ボタン２０と絶縁本体１０の係合固定方式として、ボタン２０の両側に弾性の係合ブロック２１が設けられ、絶縁本体１０に係合ブロック２１と連携する係合溝１３が対応して開設され、前記係合ブロック２１が係合溝１３に係合されることであり、それによってボタン２０と絶縁本体１０の係合が簡単且つ確実になり、締め付けた後の第１と第２電力線５０ａ、５０ｂの弛みを最大限に防止でき、本発明に係る商用電力線接続モジュール１００による第１と第２電力線５０ａ、５０ｂの電気的接続及び機械的接続がより確実になった。その中で、ボタン２０と絶縁本体１０の固定をより確実にするために、係合ブロック２１は押付方向に沿って順に第１係合ブロック２１ａと第２係合ブロック２１ｂを含み、具体的には、この第１係合ブロック２１ａと第２係合ブロック２１ｂが押される方向に沿って同一の直線に位置し、前記ボタン２０が摺動的に前記絶縁本体１０に入っている過程中、前記係合溝１３が順に前記第２と第１係合ブロック２１ｂ、２１ａに係合され、それによってボタン２０が第１と第２電力線５０ａ、５０ｂを押し付けて突き破っていない時に第２係合ブロック２１ｂによって効果的にボタン２０の絶縁本体１０からの脱落を防止して、作業者の操作が便利になる。なお、上記したボタン２０が一対になって直線で突き合わせ接続される設置によって、作業者は異なるボタン２０によって対応する第１と第２電力線５０ａ、５０ｂを押し付けて、第１と第２電力線５０ａ、５０ｂの突き破りをより容易にして、作業者の操作がより便利になる。
【００３５】
図３に示す通り、上記した第１締付溝３２ａの第１通孔３３ａに近い内壁に鋭利な第１刃口部３４ａが形成され、上記した第２締付溝３２ｂの第２通孔３３ｂに近い内壁に鋭利な第２刃口部３４ｂが形成されており、第１締付溝３２ａと第１通孔３３ａとの接続箇所が弧状となり、第２締付溝３２ｂと第２通孔３３ｂとの接続箇所が弧状となっており、それによって第１と第２刃口部３４ａ、３４ｂが第１と第２電力線５０ａ、５０ｂの絶縁層５２（図７ａを参照）を突き破ることがより容易になり、突き破った後の第１と第２電力線５０ａ、５０ｂの導体５１がより確実に対応する第１と第２締付溝３２ａ、３２ｂに締め付けられることが可能になって、本発明に係る商用電力線接続モジュール１００による第１と第２電力線５０ａ、５０ｂの電気的接続及び機械的接続がより確実となる。
【００３６】
また、上記した接続端子３０が一対になるように設けられ、一方の接続端子３０が他方の接続端子３０に重ねられており、それぞれを外部接続端子３０と内部接続端子３０と称し、外部接続端子３０の第１及び第２締付溝３２ａ、３２ｂの溝距離と内部接続端子３０の第１及び第２締付溝３２ａ、３２ｂの溝距離が等しくなく設定されており、本実施例では、外部接続端子３０の第１と第２締付溝３２ａ、３２ｂの溝距離が内部接続端子３０の第１と第２締付溝３２ａ、３２ｂの溝距離より大きくて、線径の大きい第１電力線５０ａ又は第２電力線５０ｂが外部接続端子３０で突き破られ締め付けられるが、線径の小さい第１電力線５０ａ又は第２電力線５０ｂが内部接続端子３０で突き破られ締め付けられるようになっており、それによって本発明に係る商用電力線接続モジュール１００が異なる線径の第１電力線５０ａと第２電力線５０ｂを電気的に接続することができ、本発明に係る商用電力線接続モジュール１００の利用範囲を拡大する。
【００３７】
なお、上記した接続端子３０は絶縁本体１０の中心に沿って対称的に設けられており、それによって本発明に係る商用電力線接続モジュール１００は同時に二種の異なる極性（即ち、正極と負極）の第１電力線５０ａと第２電力線５０ｂを電気的に突き合わせ接続することができるようになり、更に本発明に係る商用電力線接続モジュール１００の利用範囲を拡大する。
【００３８】
本発明に係る商用電力線接続モジュールにおける接続器の接続端子の別の実施例は図５の構造模式図の通りである。図５において、接続端子３０｀は、上記した第１通孔３３ａと第２通孔３３ａが開設されておらず、即ち、接続端子３０｀の第１突き破り・締付端３１ａに上記した第１通孔３３ａが開設されておらず、接続端子３０｀の第２突き破り・締付端３１ｂに上記した第２通孔３３ｂが開設されていないことで上記した接続端子３０の構造と異なっているので、材料を節約できる。上記した相違点以外に、接続端子３０｀は接続端子３０の構造と同様であるので、ここで再び説明しない。
【００３９】
図６ａ〜図６ｄを参照とし、本発明の商用電力線の接続方法に含まれる以下のステップを詳しく説明する。
（１）上記した接続器１００ａを提供し、この接続器１００ａの構造についてすでに以上に詳しく説明したので、ここで再び説明しない。
（２）上記した商用電力を伝送するための第１電力線５０ａを提供し、第１電力線５０ａを図６ｂにおける第１電力線５０ａのそばの矢印に示す方向に沿って上記した第１ケーブル通路１１ａと第１突き破り・締付端３１ａに挿入する。
（３）上記した商用電力を伝送するための第２電力線５０ｂを提供し、第２電力線５０ｂを図６ｂにおける第２電力線５０ｂのそばの矢印に示す方向に沿って上記した第２ケーブル通路１１ｂと第２突き破り・締付端３１ｂに挿入し、第１と第２電力線５０ａ、５０ｂを挿入すると、図６ｃに示すような状態になり、この時の第１電力線５０ａと第１締付溝３２ａの位置関係が図７ａに示すようになり、第２電力線５０ｂと第２締付溝３２ｂの位置関係が図７ｂに示すようになる。
（４）上記した絶縁本体１０とは図６ｄに示すような係合固定状態になるまで、図６ｃにおける矢印Ｂに示す方向に沿って上記したボタン２０を押し、押している過程中、ボタン２０の押付部２０ａが第１と第２電力線５０ａ、５０ｂを押し付けてそれぞれ第１と第２締付溝３２ａ、３２ｂの方向へ移動させ、第１と第２締付溝３２ａ、３２ｂの内壁がそれぞれ移動してきた第１と第２電力線５０ａ、５０ｂを突き破り締め付け、この時の第１電力線５０ａと第１締付溝３２ａの位置関係が図８ａに示すようになり、第２電力線５０ｂと第２締付溝３２ｂの位置関係が図８ｂに示すようになる。
【００４０】
本発明に係る第２実施例として商用電力線接続モジュール１００｀を図９に示す。本実施例の商用電力線接続モジュール１００｀は第１実施例の商用電力線接続モジュール１００の構造と基本的に同様であるが、接続器における絶縁本体及び接続端子が異なっており、以下に図１０〜図１２を参照して本実施例の商用電力線接続モジュール１００｀と第１実施例の商用電力線接続モジュール１００との相違点を説明する。
【００４１】
第１の相違点として、本実施例では、接続器１００ａ｀の絶縁本体１０｀の同側に第１ケーブル通路１１ａ｀と第２ケーブル通路１１ｂ｀が開設されているが、第１実施例では、接続器１００ａの絶縁本体１０の右端に第１ケーブル通路１１ａが開設され、接続器１００ａの絶縁本体１０の左端に第２ケーブル通路１１ｂが開設されている、つまり絶縁本体１０の両端にそれぞれのケーブル通路が開設されている。
【００４２】
第２の相違点として、本実施例では、接続器１００ａ｀における絶縁本体１０｀の収容室１５が第１ケーブル通路１１ａ｀と第２ケーブル通路１１ｂ｀と連通すればよいが、第１実施例では、接続器１００ａにおける絶縁本体１０の収容室１５が第１ケーブル通路１１ａと第２ケーブル通路１１ｂの間に位置している。
【００４３】
第３の相違点として、本実施例では、接続器１００ａ｀の接続端子４０はベース部４０ａ、第１突き破り・締付端４１ａ及び第２突き破り・締付端４１ｂを有しており、この第１突き破り・締付端４１ａとベース部４０ａが第１ケーブル通路１１ａに対応して延伸して形成されたものであり、第２突き破り・締付端４１ｂとベース部４０ａが第２ケーブル通路１１ｂ｀に対応して延伸して形成されたものであって、第１突き破り・締付端４１ａ、ベース部４０ａ及び第２突き破り・締付端４１ｂが共同で平面構造を形成する。また、このベース部４０ａが絶縁本体１０｀の底端に取り付けられており、第１突き破り・締付端４１ａには第１ケーブル通路１１ａ｀に対応し且つベース部４０ａへ延伸する第１締付溝４２ａが開設されており、第２突き破り・締付端４１ｂには第２ケーブル通路１１ｂ｀に対応し且つベース部４０ａへ延伸する第２締付溝４２ｂが開設されており、第１突き破り・締付端４１ａは第１ケーブル通路１１ａ｀に対応するものであって第１締付溝４２ａの上方に位置して第１締付溝４２ａと連通し、第１電力線５０ａを第１突き破り・締付端４１ａに入るように案内する第１通孔４３ａが開設されており、第２突き破り・締付端４１ｂは第２ケーブル通路１１ｂ｀に対応するものであって第２締付溝４２ｂの上方に位置して第２締付溝４２ｂと連通し、第２電力線５０ｂを第２突き破り・締付端４１ｂに入るように案内する第２通孔４３ｂが開設されている。また、第１締付溝４２ａの第１通孔４３ａに近い内壁に鋭利な第１刃口部４４ａが形成され、第１締付溝４２ａと第１通孔４３ａとの接続箇所が弧状となっている、同様に、第２締付溝４２ｂの第２通孔４３ｂに近い内壁に鋭利な第２刃口部４４ｂが形成され、第２締付溝４２ｂと第２通孔４３ｂとの接続箇所が弧状となっている。しかしながら、第１実施例では、接続端子３０は、右端が折り曲がり延伸して第１ケーブル通路１１ａに対する第１突き破り・締付端３１ａを形成し、左端が折り曲がり延伸して第２ケーブル通路１１ｂに対する第２突き破り・締付端３１ｂを形成するベース部３０ａを有しており、第１突き破り・締付端３１ａに第１ケーブル通路１１ａに対応し且つベース部３０ａへ延伸する第１締付溝３２ａが開設されており、第２突き破り・締付端３１ｂに第２ケーブル通路１１ｂに対応し且つベース部３０ａへ延伸する第２締付溝３２ｂが開設されている。従って、第２実施例の接続端子４０の第１突き破り・締付端４１ａと第２突き破り・締付端４１ｂの延伸配置方式は第１実施例の接続端子３０の第１突き破り・締付端３１ａと第２突き破り・締付端３１ｂの延伸配置方式と異なっている。
【００４４】
そのため、第２実施例の商用電力線接続モジュール１００｀は第１実施例の商用電力線接続モジュール１００とは上記第１〜第３相違点を除き、他の構造が全て同様であり、即ち、上記の第１〜第３相違点を除き、第１実施例の商用電力線接続モジュール１００の絶縁本体１０は、収容室１５、嵌挿・位置決め溝１２、摺動案内レール１４及び係合溝１３を有しており、また、第１実施例の商用電力線接続モジュール１００のボタン２０は、摺動溝２２、押付部２０ａ、連携溝２３及び第１係合ブロック２１ａと第２係合ブロック２１ｂからなる係合ブロック２１｀を有する構造であり、第２実施例の商用電力線接続モジュール１００｀の絶縁本体１０｀及びボタン２０も同様に設計されて配置されているので、ここで第２実施例の有する第１実施例と同様な構造を説明しない。また、第２実施例の商用電力線接続モジュール１００｀の接続端子４０が第１実施例の商用電力線接続モジュール１００の接続端子３０と同様の突き破り構造を有するので、第２実施例の商用電力線接続モジュール１００｀は商用電力線を突き破り締め付ける方式が第１実施例の商用電力線接続モジュール１００｀と同様であるため、ここで第２実施例の商用電力線接続モジュール１００｀の突き破り原理を詳しく説明しない。
【００４５】
なお、本発明の接続器１００ａ｀の構造についてすでに第２実施例の商用電力線接続モジュール１００｀で詳しく説明したので、ここで再び説明しない。
【００４６】
本発明に係る第３実施例として商用電力線接続モジュール１００｀｀を図１３に示す。本実施例の商用電力線接続モジュール１００｀｀の構造は第２実施例における商用電力線接続モジュール１００｀の構造とは基本的に同様であるが、ただ接続器１００ａ｀の使用数量のみで異なっており、第３実施例では、接続器１００ａ｀の数量が一つで、第２実施例では、この接続器１００ａ｀の数量が二つであって、二つの接続器１００ａ｀における絶縁本体１０｀が一体構造となっている。もちろん、接続器１００ａ｀の数量の選択について、当業者が実際の状況に基づいて熟知していることであるため、ここで接続器１００ａ｀の数量を限定しない。その中で、二つの接続器１００ａ｀における絶縁本体１０｀が一体構造となる場合に、それぞれの接続器１００ａ｀における接続端子４０を別々に設置して２本の電力線当たりの短絡を図るようにしてもよく、二つの接続器１００ａ｀における接続端子４０を互いに一体構造として接続して４本の電力線の短絡を図るようにしてもよい。
【００４７】
注意すべき点として、上記の第１ケーブル通路及び第２ケーブル通路は、絶縁本体の両端又は絶縁本体の同側に開設されている場合を除き、絶縁本体の他の位置に開設してもよいことは当然である。ボタンは、摺動可能に絶縁本体の頂端に取り付けられているが、回転可能に絶縁本体の頂端に取り付けてもよい。収容室は、連通するように第１ケーブル通路と第２ケーブル通路との間に位置する。しかしながら、収容室、第１ケーブル通路及び第２ケーブル通路の他の位置での設置、並びにボタンの回転可能な設置はいずれも本発明における第１突き破り・締付端の第１締付溝による第１電力線の突き破り、及び第２突き破り・締付端の第２締付溝による第２電力線の突き破りに影響を与えず、本発明に係る商用電力線接続モジュールが事前に商用電力線の絶縁層を除去しなくても商用電力線同士を電気的に接続できるという目的が実現される。
【００４８】
本発明の絶縁本体１０の両端にそれぞれ第１ケーブル通路１１ａと第２ケーブル通路１１ｂが開設され、更に、第１ケーブル通路１１ａと第２ケーブル通路１１ｂとの間に位置して第１ケーブル通路１１ａと第２ケーブル通路１１ｂと連通する収容室１５が開設されており、接続端子３０は、収容室１５に配置され、絶縁本体１０の底端に取り付けられるベース部３０ａを有する接続端子であって、ベース部３０ａの右端は第１ケーブル通路１１ａに対応して折り曲がり延伸して第１突き破り・締付端３１ａを形成し、ベース部３０ａの左端は第２ケーブル通路１１ｂに対応して折り曲がり延伸して第２突き破り・締付端３１ｂを形成し、第１突き破り・締付端３１ａには第１ケーブル通路１１ａに対応し且つベース部３０ａへ延伸する第１締付溝３２ａが開設され、第２突き破り・締付端３１ｂには第２ケーブル通路１１ｂに対応し且つベース部３０ａへ延伸する第２締付溝３２ｂが開設されており、ボタン２０は、摺動可能となるように絶縁本体１０の頂端に取り付けられ、収容室１５の内に伸びる押付部２０ａを有しており、第１電力線５０ａが接続器１００ａの右端の第１ケーブル通路１１ａと第１突き破り・締付端３１ａに入り、第２電力線５０ｂが接続器１００ａの左端の第２ケーブル通路１１ｂと第２突き破り・締付端３１ｂに入った際、作業者がボタン２０を押すと、ボタン２０の押付部２０ａによって第１と第２電力線５０ａ、５０ｂを押して付けて第１と第２締付溝３２ａ、３２ｂの方向へ移動させることができ、第１と第２締付溝３２ａ、３２ｂの内壁が移動してきた第１と第２電力線５０ａ、５０ｂを突き破り締め付け、それによって、第１と第２電力線５０ａ、５０ｂについて事前に絶縁層を除去せずに電気的に接続器１００ａに締め付けることができ、本発明に係る商用電力線接続モジュール１００による商用電力線の電気的接続及び機械的接続が簡便になって、作業者の負担が軽減され資源の浪費の防止につながる、また、第１と第２電力線５０ａ、５０ｂが第１と第２締付溝３２ａ、３２ｂの内壁に締め付けられた時、更にボタン２０と絶縁本体１０の係合固定によって提供される固定力を受けるので、電気的に接続したり機械的に接続したりした第１と第２電力線５０ａ、５０ｂの弛みを効果的に防止し、従来の商用電力線同士の導体の電気的接続及び機械的接続の時に一体に捻じって接続することで耐引張性が低下してしまうという問題を回避することができ、本発明に係る商用電力線接続モジュール１００による商用電力線の電気的接続及び機械的接続がより確実になった。
【００４９】
以上に開示したものは本発明の好ましい実例に過ぎず、それによって本発明の特許請求の範囲を限定してはいけないことは当然であるので、本発明の特許請求の範囲に基づいて行った同等の変更は、本発明の範囲に含まれている。
【図１】
2015521350.tif 000003
【図２】
2015521350.tif 000004
【図３】
2015521350.tif 000005
【図４】
2015521350.tif 000006
【図５】
2015521350.tif 000007
【図６ａ】
2015521350.tif 000008
【図６ｂ】
2015521350.tif 000009
【図６ｃ】
2015521350.tif 000010
【図６ｄ】
2015521350.tif 000011
【図７ａ】
2015521350.tif 000012
【図７ｂ】
2015521350.tif 000013
【図８ａ】
2015521350.tif 000014
【図８ｂ】
2015521350.tif 000015
【図９】
2015521350.tif 000016
【図１０】
2015521350.tif 000017
【図１１】
2015521350.tif 000018
【図１２】
2015521350.tif 000019
【図１３】
2015521350.tif 000020
【国際調査報告】
2015521350.tif 000021
2015521350.tif 000022
2015521350.tif 000023
2015521350.tif 000024
2015521350.tif 000025
2015521350.tif 000026
2015521350.tif 000027
2015521350.tif 000028